(57)【要約】【課題】電気洗濯機Ｍに存在する取付穴を利用して、棚や小物籠などを支持する支柱を取り付けるための電気洗濯機用棚取付金具の提供。多機種の電気洗濯機に対して対応可能な電気洗濯機用棚取付金具及び電気洗濯機用棚ユニットの提供。【解決手段】固定部材１、支持部材２、ねじ部材３を備え、固定部材１には、上記のねじ部材３と螺合可能なねじ山を内周面に備えたねじ穴が複数設けられており、支持部材２のプレート部２１には、上記ねじ部材３を通した状態で、電気洗濯機Ｍの背面に対して左右方向に移動可能とするための長穴２３を備え、筒状部２２は、内部に支柱Ｐが通されるものであり、固定部材１のねじ穴を選択してねじ部材３を取り付けることにより、多機種の電気洗濯機Ｍに対して、支柱Ｐを取り付け可能とした。【選択図】          図２
0003110720.tif 000002
【実用新案登録請求の範囲】
【請求項１】
衣類乾燥機などを設置するための金具の取り付けを目的として、電気洗濯機（Ｍ）の背面側外板に設けられている金具挿入穴（Ｈ１）と取付ねじ用貫通穴（Ｈ２）とを利用し、棚や小物籠などを支持する支柱（Ｐ）を取り付けるための電気洗濯機用棚取付金具において、
この電気洗濯機用棚取付金具は、一部が上記金具挿入穴（Ｈ１）から挿入されて、上記取付ねじ用貫通穴（Ｈ２）の裏側に配位される固定部材（１）と、
上記取付ねじ用貫通穴（Ｈ２）の表側に配位され、この固定部材（１）と結合されて支柱（Ｐ）を支持することのできる支持部材（２）と、
固定部材（１）と支持部材（２）とを結合させるためのねじ部材（３）とを備え、
ねじ部材（３）は、軸部の外周面の少なくとも一部にねじ山が設けられたものであり、
固定部材（１）には、上記のねじ部材（３）と螺合可能なねじ山を内周面に備えたねじ穴（１４）が複数設けられており、
支持部材（２）は、プレート部（２１）と筒状部（２２）とを有するものであり、
プレート部（２１）には、上記ねじ部材（３）を通した状態で、電気洗濯機（Ｍ）の背面に対して左右方向に移動可能とするための長穴（２３）を備え、
筒状部（２２）は、上記プレート部（２１）と一体に形成されたものであって、内部に支柱（Ｐ）が通されるものであり、
上記固定部材（１）のねじ穴（１４）を選択して上記ねじ部材（３）を取り付けることにより、多機種の電気洗濯機（Ｍ）に対して、支柱（Ｐ）を取り付け可能としたことを特徴とする電気洗濯機用棚取付金具。
【請求項２】
支持部材（２）として、上側支持部材（２ａ）と下側支持部材（２ｂ）とを備えたものであり、
上側支持部材（２ａ）における筒状部（２２）は、支柱（Ｐ）の外周を保持するものであり、
下側支持部材（２ｂ）における筒状部（２２）は、支柱（Ｐ）の外周及び下端を保持するものであることを特徴とする、請求項１に記載の電気洗濯機用棚取付金具。
【請求項３】
物品を載置可能な棚部材（Ｒ）と、
棚部材（Ｒ）の幅寸法に対応する間隔をおいて配位された、２本の支柱（Ｐ）と、
上記の支柱（Ｐ）に両端が固定された連結部材（Ｊ）と、
電気洗濯機（Ｍ）の背面に取り付けられ、上記の各支柱（Ｐ）を支持するものである、請求項１または２に記載の電気洗濯機用棚取付金具とを備え、
上記の支持部材（２）は、電気洗濯機（Ｍ）の取付ねじ用貫通穴（Ｈ２）の、左右方向の間隔に応じて、ねじ部材（３）の取り付けが可能とされたことを特徴とする、電気洗濯機用棚ユニット。
【考案の詳細な説明】
【技術分野】
【０００１】
本願考案は、電気洗濯機の背面に、棚や小物籠などを支持する支柱を取り付けるための電気洗濯機用棚取付金具及び電気洗濯機用棚ユニットに関するものである。
【背景技術】
【０００２】
従来から、電気洗濯機Ｍの背面側外板には、衣類乾燥機などを設置するための金具の取り付けを目的とする取付穴Ｈが設けられている。これは、図５（Ａ）に示すようなものであり、金具挿入穴Ｈ１と取付ねじ用貫通穴Ｈ２とからなる。
上記の金具を背面側外板に取り付けるにあっては、まず、金具を金具挿入穴Ｈ１から挿入し、その一部を背面側外板の裏側に配位させる。この金具において、このように背面側外板の裏側に配位される部分にはねじ穴が設けられている。よって、このねじ穴と上記のねじ用貫通穴Ｈ２とを一致させ、金具のねじ穴にねじ部材を差し込むことにより、上記の金具を取り付けることができる。
【考案の開示】
【考案が解決しようとする課題】
【０００３】
しかし、この取付穴Ｈは、衣類乾燥機を取り付けない際には、遊んだ状態となっている。
一方、家庭などにおける洗濯機周りには、洗濯用の小物などを置くための棚や籠などがあると便利な場合が多い。しかし、従来においては、電気洗濯機Ｍの周囲の、建物側の壁面に棚を取り付けるなどして対応しており、賃貸住宅など、建物側の壁面を傷つけることを避けたい場合には不便であった。
【０００４】
本願考案はこのことに鑑み、電気洗濯機に存在する取付穴を利用して、棚や小物籠などを支持する支柱を取り付けるための電気洗濯機用棚取付金具及び電気洗濯機用棚ユニットを提供すること、また、多機種の電気洗濯機に対して対応可能な電気洗濯機用棚取付金具及び電気洗濯機用棚ユニットを提供することを課題とする。
【課題を解決するための手段】
【０００５】
上記課題を解決するために、本願の請求項１に記載された考案は、衣類乾燥機などを設置するための金具の取り付けを目的として、電気洗濯機Ｍの背面側外板に設けられている金具挿入穴Ｈ１と取付ねじ用貫通穴Ｈ２とを利用し、棚や小物籠などを支持する支柱Ｐを取り付けるための電気洗濯機用棚取付金具において、この電気洗濯機用棚取付金具は、一部が上記金具挿入穴Ｈ１から挿入されて、上記取付ねじ用貫通穴Ｈ２の裏側に配位される固定部材１と、上記取付ねじ用貫通穴Ｈ２の表側に配位され、この固定部材１と結合されて支柱Ｐを支持することのできる支持部材２と、固定部材１と支持部材２とを結合させるためのねじ部材３とを備え、ねじ部材３は、軸部の外周面の少なくとも一部にねじ山が設けられたものであり、固定部材１には、上記のねじ部材３と螺合可能なねじ山を内周面に備えたねじ穴１４が複数設けられており、支持部材２は、プレート部２１と筒状部２２とを有するものであり、プレート部２１には、上記ねじ部材３を通した状態で、電気洗濯機Ｍの背面に対して左右方向に移動可能とするための長穴２３を備え、筒状部２２は、上記プレート部２１と一体に形成されたものであって、内部に支柱Ｐが通されるものであり、上記固定部材１のねじ穴１４を選択して上記ねじ部材３を取り付けることにより、多機種の電気洗濯機Ｍに対して、支柱Ｐを取り付け可能としたことを特徴とする電気洗濯機用棚取付金具を提供する。
【０００６】
また、本願の請求項２に記載された考案は、支持部材２として、上側支持部材２ａと下側支持部材２ｂとを備えたものであり、上側支持部材２ａにおける筒状部２２は、支柱Ｐの外周を保持するものであり、下側支持部材２ｂにおける筒状部２２は、支柱Ｐの外周及び下端を保持するものであることを特徴とする、請求項１に記載の電気洗濯機用棚取付金具を提供する。
【０００７】
また、本願の請求項３に記載された考案は、物品を載置可能な棚部材Ｒと、棚部材Ｒの幅寸法に対応する間隔をおいて配位された、２本の支柱Ｐと、上記の支柱Ｐに両端が固定された連結部材Ｊと、電気洗濯機Ｍの背面に取り付けられ、上記の各支柱Ｐを支持するものである、請求項１または２に記載の電気洗濯機用棚取付金具とを備え、上記の支持部材２は、電気洗濯機Ｍの取付ねじ用貫通穴Ｈ２の、左右方向の間隔に応じて、ねじ部材３の取り付けが可能とされたことを特徴とする、電気洗濯機用棚ユニットを提供する。
【考案の効果】
【０００８】
本願の請求項１または２に記載された考案に係る電気洗濯機用棚取付金具を用いることにより、電気洗濯機Ｍに当初から設けられている取付穴である、金具挿入穴Ｈ１と取付ねじ用貫通穴Ｈ２とを利用して、電気洗濯機Ｍに小物籠などを取り付けることができる。よって、建物側の壁面を傷つける必要がない。
また、この電気洗濯機用棚の取付金具固定部材１には、ねじ穴１４が複数設けられているため、多機種の電気洗濯機に対して、適するねじ穴１４を選択して使用することにより、固定部材１の取付が可能である。よって、多機種の電気洗濯機に対して対応可能な電気洗濯機用棚取付金具を提供することができたものである。
【０００９】
また、本願の請求項３に記載された考案は、電気洗濯機Ｍの取付ねじ用貫通穴Ｈ２の、左右方向の間隔に応じて、ねじ部材３の取り付けが可能とされたものであるため、多機種の電気洗濯機に対して対応可能な電気洗濯機用棚ユニットを提供することができたものである。
【考案を実施するための最良の形態】
【００１０】
以下、図面に基づき本願考案の実施の形態の一例をとりあげて説明する。図１は本例の電気洗濯機用棚ユニットを電気洗濯機に取り付けた状態を示す図、図２は本例の電気洗濯機用棚取付金具の使用状態を示す図、図３は固定部材を示す図、図４は支持部材を示す図、図５は固定部材の電気洗濯機への取付要領を示す図である。
【００１１】
本例の電気洗濯機用棚ユニットは、図１に示すように、棚部材Ｒ、支柱Ｐ、連結部材Ｊ、そして電気洗濯機用棚取付金具を備えたものであって、電気洗濯機Ｍの背面に支柱Ｐが配位されることにより、棚部材Ｒが電気洗濯機Ｍの上方に配位されたものである。
棚部材Ｒは物品を載置可能なものであり、本例では籠状のものとされている。支柱Ｐは、本例では２本が棚部材Ｒの幅寸法に対応する間隔をおいて配位される。連結部材Ｊは、支柱Ｐに両端が固定されたものであって、支柱Ｐの間隔を一定に保持するものである。
【００１２】
本例の電気洗濯機用棚取付金具は、図２に示すように、固定部材１と、支持部材２と、ねじ部材３とを備えたものであり、ねじ部材３により固定部材１と支持部材２とが電気洗濯機Ｍの背面側外板において結合され、これを用いて棚や小物籠などの棚部材Ｒを支持する支柱Ｐを取り付けることができる。
【００１３】
固定部材１は、図３に示すようなものであり、図５（Ｂ）（Ｃ）に示すように、電気洗濯機Ｍの金具挿入穴Ｈ１から挿入されて、取付ねじ用貫通穴Ｈ２の裏側に配位される部材である。
この固定部材１は細長い板状体とされている。固定部材１の横幅は電気洗濯機Ｍの金具挿入穴Ｈ１の横幅よりも短く、板厚は金具挿入穴Ｈ１の縦寸法よりも小さい。よって、金具挿入穴Ｈ１に挿入が可能となっている。
この固定部材１は持手部１１、連結部１２、挿入部１３からなり、この順に並んで配位されている。本例においては、図３（Ｂ）に示すように、連結部１２を基準として、持手部１１は９０°折り曲げられている。また、挿入部１３は持手部１１とは逆側に配位されたものであり、同じく連結部１２を基準として９０°折り曲げられている。なお、固定部材１の形状は本例のものに限られず、持手部１１が電気洗濯機Ｍの背面側外板の表側に配位できるものであって、挿入部１３が電気洗濯機Ｍの背面側外板の裏側に配位できる形状とされていれば良い。
【００１４】
固定部材１の挿入部１３には、ねじ山を内周面に備えたねじ穴１４が一直線上に２つ並んで設けられている。このねじ穴１４は、軸部の外周面の少なくとも一部にねじ山が設けられたねじ部材３と螺合可能とされている。
固定部材１に設けられるねじ穴１４の数は、本例のように２つに限られるものではない。また、複数のねじ穴１４が一直線上に配位されたものではなくても良い。つまり、ねじ穴１４については、対応する電気洗濯機Ｍの種類に応じて種々に変更して形成し得る。
【００１５】
支持部材２は、図４に示すようなものであり、取付ねじ用貫通穴Ｈ２の表側に配位され、上記の固定部材１と結合されて支柱Ｐを支持するものである。
この支持部材２は、プレート部２１と筒状部２２とを有するものである。
本例におけるプレート部２１は、横長の平板状とされた部分であって、このプレート部２１には、ねじ部材３を通すことができ、このねじ部材３を通した状態で、電気洗濯機Ｍの背面側外板に対して左右方向に移動可能とするための長穴２３を備える。なお、本例における長穴２３の端部には、ねじ部材３の頭部が通過可能な大きさに拡大された拡大部２３ａが設けられており、ねじ部材３を電気洗濯機Ｍの背面側外板に取り付け、ある程度ねじ込んだ状態とされた後でも取り付け可能なものとされている。
また、筒状部２２は、上記のプレート部２１の上方に一体に形成されたものであって、内部に支柱Ｐが通すことのできる空間２２ａを有する。本例における支柱Ｐは正方形断面とされており、上記の空間２２ａは、支柱２の外周を囲むことができるように、４つの平板が筒状に組み合わされたものとされている。
なお、この支柱部２２は、支柱Ｐを支持することが可能なものであれば良く、本例のように支柱Ｐの外周全てを囲むものではなく、支柱Ｐの少なくとも一部に当接することにより、支柱Ｐが支持できるものであっても良い。
【００１６】
なお、本例の支持部材２としては、図１及び図２に示すように、上側支持部材２ａと下側支持部材２ｂとの２種類が存在している。上側支持部材２ａは支柱Ｐの中間部分を支持し、下側支持部材２ｂは支柱Ｐの下端を支持するものとされている。つまり、上側支持部材２ａにおける筒状部２２は、支柱Ｐの外周を保持するものであり、下側支持部材２ｂにおける筒状部２２は、支柱Ｐの外周及び下端を保持するものである。よって、下側支持部材２ｂの筒状部２の底部は、図４に示すように、底板２４によって塞がれている。一方、上側支持部材２ａの筒状部２には底板２４は設けられていない（図示はしない）。
【００１７】
次に、この電気洗濯機用棚取付金具の電気洗濯機Ｍへの取付方法について説明する。まず、図５（Ａ）に示すように、電気洗濯機Ｍの背面側外板に設けられている金具挿入穴Ｈ１に、図５（Ｂ）に示すようにして、固定部材１の挿入部１３を挿入する。なお、この際の挿入作業は、持手部１１を持って行う。次に、挿入部が背面側外板の裏側に挿入された段階で、持手部１１を立てるように回動させる。これにより、図５（Ｃ）に示すように、挿入部１３が背面側外板の裏側に沿うように配位される。なおこの際、背面側外板に設けられている取付ねじ用貫通穴Ｈ２と、挿入部１３のねじ穴１４のうちの一つとが一致するようにされる。
【００１８】
ここで、挿入部１３には複数のねじ穴１４が設けられているため、金具挿入穴Ｈ１と取付ねじ用貫通穴Ｈ２との位置関係が異なる関係にある、多機種の電気洗濯機に対して、適するねじ穴１４を選択して使用することにより、固定部材１の取付が可能である。よって、多機種の電気洗濯機Ｍに対して、支柱Ｐを取り付け可能であるため、本願考案に係る電気洗濯機用棚取付金具は、汎用性の高いものである。
【００１９】
そして、ねじ部材３を背面側外板の取付ねじ用貫通穴Ｈ２に通した状態で、ねじ部材３を挿入部１３のねじ穴１４にねじ込む。そして、ある程度ねじ部材３がねじ込まれた状態で、背面側外板の表側に支持部材２を配位する。この際、支持部材２の長穴２３に設けられた拡大部２３ａにねじ部材３の頭部を通し、左右方向に支持部材２をスライドさせることによって、支持部材２を比較的容易に背面側外板に取り付けることができる。
その後、この支持部材２の筒状部２２に支柱Ｐが挿入され、図２に示した状態とされる。ここで、支持部材２には長穴２３が備えられたものであるため、背面側外板に対する支持部材２の固定される位置を、左右方向について調整可能である。よって本例のように、連結部材Ｊによって、棚部材Ｒの幅寸法に対応する一定の間隔にて固定された支柱Ｐを、支持部材２の取り付け位置の調整をすることにより、多機種の電気洗濯機に対して取り付けることが可能である。
そして、支持部材２の背面側外板に対する位置決めができた状態で、ねじ部材３を完全に締め込むことによって、支持部材２及び支柱Ｐが背面側外板に固定される。
【図面の簡単な説明】
【００２０】
【図１】本例の電気洗濯機用棚ユニットを電気洗濯機に取り付けた状態を示す背面図である。
【図２】本例の電気洗濯機用棚取付金具の使用状態を示す説明図である。
【図３】（Ａ）は固定部材を示す正面図であり、（Ｂ）は（Ａ）のＡ−Ａ断面図である。
【図４】（Ａ）は支持部材を示す正面図であり、（Ｂ）は右側面図である。
【図５】（Ａ）は電気洗濯機の背面側を示す説明図であり、（Ｂ）及び（Ｃ）は固定部材の電気洗濯機への取付要領を示す説明図である。
【符号の説明】
【００２１】
１      固定部材
１４    ねじ穴
２      支持部材
２ａ    上側支持部材
２ｂ    下側支持部材
２１    プレート部
２２    筒状部
２３    長穴
３      ねじ部材
Ｈ１    金具挿入穴
Ｈ２    取付ねじ用貫通穴
Ｊ      連結部材
Ｍ      電気洗濯機
Ｐ      支柱
Ｒ      棚部材
【図１】
0003110720.tif 000003
【図２】
0003110720.tif 000004
【図３】
0003110720.tif 000005
【図４】
0003110720.tif 000006
【図５】
0003110720.tif 000007